(57)【要約】      （修正有）【課題】溶接作業における溶接ワイヤの供給量を簡便に把握することができる計数装置の取付構造を提供する。【解決手段】袋ネジ４５が積算計数装置４０の入力軸４４に固定されており、入力軸４４は積算計数装置４０の重心Ｇから偏在した位置とする。溶接機の溶接ワイヤｗを送る回転軸２３に対して袋ネジ４５を螺着する。積算計数装置４０は回転軸２３に対してぶら下がり状に自由回転状態となっている。【選択図】図４
0003155392.tif 000002
【実用新案登録請求の範囲】
【請求項１】
ワイヤ蓄積部の溶接ワイヤを溶接トーチまで供給する経路中に、水平な回転軸の先部に螺着されたナットにより固定されているローラが溶接ワイヤと接触する溶接機において、前記ナットの代わりに前記回転軸に螺着される袋ネジと、前記袋ネジに入力軸が固定され、入力軸の回数を積算して表示する積算計数装置とを有し、前記積算計数装置は前記回転軸にぶら下がり状に支持され、前記入力軸は前記積算計数装置の重心からは偏在していることを特徴とする計数装置の取付構造。
【請求項２】
請求項１において、前記積算計数装置は前記回転軸を中心として、前記溶接機に対して自由回転状態であることを特徴とする計数装置の取付構造。
【考案の詳細な説明】
【技術分野】
【０００１】
本考案は、溶接ワイヤの供給量（使用量）を把握する計数装置を溶接機に対して簡易に取り付ける取付構造に関するものである。
【背景技術】
【０００２】
ＴＩＧ溶接機、ＭＩＧ溶接機、炭酸ガスアーク溶接機、ＭＡＧ溶接機、サブマージアーク溶接機などの溶接機は、ワイヤ蓄積部の溶接ワイヤを及びフィードローラで挟み付けると共に前記ローラの回転送り力で溶接トーチまで供給する機構を備えている。
【０００３】
溶接機による溶接作業においては、ローラによる溶接ワイヤの供給量（使用量）を測定するため、特許文献１、２又は３に開示されているように、供給量を把握するための数値情報を表示させる技術が提案されている。
【０００４】
特許文献１によれば、ローラに連結された回転検出器の出力信号であるパルスを積算重量演算部に入力して溶接ワイヤの供給量としてその重量を積算させ、この積算により得られた数値情報を積算重量演算部に表示させるようになっている。
【０００５】
特許文献２によれば、溶接ワイヤに流れる電流をパラメータとする関数にアークタイムを乗じる演算を制御プログラムに基づいて溶接ロボットに行わせることにより溶接ワイヤの使用量を測定し表示するようになっている。
【０００６】
特許文献３によれば、ローラに回転検出体を固定し、該回転検出体の回転をフォトセンサで検出し、この検出により発せられる出力信号を積算計数装置に入力してローラの回転数を計数させ、この計数で得られた数値情報を積算計数装置に積算させ表示させるようになっている。
【０００７】
特許文献４によれば、ローラと同体状に回転されるナットにクランクピンが固定されており、クランクピンの円運動を積算計数装置の入力レバーの往復揺動変位に変換して、往復揺動変位の回数を積算し表示している。
【先行技術文献】
【特許文献】
【０００８】
【特許文献１】実開昭６３−１１６４７２号公報
【特許文献２】特公平６−５９５４６号公報
【特許文献３】特開２００３−５３５３７号公報
【特許文献４】実登３１４８３３０号公報
【考案の概要】
【考案が解決しようとする課題】
【０００９】
上記した特許文献１、２又は３に開示された技術においては、供給量を把握するための機構が、溶接機の機能として予め装置に組み付けられた溶接機が前提となっている。しかしながら、溶接の現場においては、供給量を把握するための機構が予め溶接機の機能として組み付けられている溶接機は多くは無く、殆どがそのような機構を有さない溶接機である。生産現場の管理面からすれば、溶接ワイヤの供給量を把握できるのが一部の溶接機のみであるのでは足りず、既存の溶接機でも同様に溶接ワイヤの供給量を把握できることが望まれる。また、特許文献４によれば、積算計数装置を取り付けるための構造が必要であり、現場に既に設置させている溶接機に応じた取り付け冶具が必要である。
【００１０】
本考案は、溶接現場に存在する既設の溶接機に対して簡単に、溶接作業における溶接ワイヤの供給量を把握する機構を取り付ける取付構造を提供することを目的とする。
【課題を解決するための手段】
【００１１】
上記目的を達成するため、本考案に係る取付構造は、ワイヤ蓄積部の溶接ワイヤを溶接トーチまで供給する経路中に、水平な回転軸の先部に螺着されたナットにより固定されているローラが溶接ワイヤと接触する溶接機において、前記ナットの代わりに前記回転軸に螺着される袋ネジと、前記袋ネジに入力軸が固定され、入力軸の回数を積算して表示する積算計数装置とを有し、前記積算計数装置は前記回転軸にぶら下がり状に支持され、前記入力軸は前記積算計数装置の重心からは偏在していることを特徴とする。
【考案の効果】
【００１２】
本考案によれば、既存の溶接機に対して簡便に取付けられ、溶接作業における溶接ワイヤの供給量を把握するための数値情報を表示させることができるようになる。
【図面の簡単な説明】
【００１３】
【図１】既存の溶接機の実施例を示す説明図である。
【図２】上記溶接機における溶接ワイヤ送給装置の前半部を左側から見た側面図である。
【図３】取付構造の斜視図である。
【図４】袋ネジ４５を回転駆動軸に取り付けた状態を示す一部断面図である。
【図５】既存の溶接機に取付構造を設置した状態を示す図である。
【考案を実施するための形態】
【００１４】
以下、本実施例の詳細を、図面を参照して詳細に説明する。
図１に、溶接の作業現場で使用されている一般的な溶接機の構成を示す。この溶接機は炭酸ガスアーク溶接機である。
【００１５】
図１において、１は溶接電源部、２は溶接ワイヤ送給装置、３は溶接トーチ、４は炭酸ガスボンベ、５は母材、６は遠隔制御箱である。７は炭酸ガスボンベ４のガス出口に接続された炭酸ガス調節器であり、８はガスホースであって炭酸ガスボンベ４内の炭酸ガスを炭酸ガス調節器８から溶接ワイヤ送給装置２まで供給するものであり、９は溶接ワイヤ送給装置２と溶接トーチ３とを接続した撓曲自在なコンジットチューブである。１０は溶接ワイヤ送給装置２側の溶接ケーブル、１１は母材５側の溶接ケーブル、１２は制御ケーブルである。
【００１６】
上記溶接ワイヤ送給装置２は、装置フレーム１３、ワイヤ蓄積部１４、送給力付与部１５及びワイヤ導出部１６からなっている。
【００１７】
装置フレーム１３は、水平部１７ａと、起立部１７ｂと、斜め後上がり状の傾斜部１７ｃとを前後方向ａ１に沿った起立面に沿って形成された管部材１７の一対を左右に配置して正対させると共に、それぞれの管部材１７、１７同士を左右方向の図示しない結合部材で固定状に連結してなる枠状体とされている。
【００１８】
ワイヤ蓄積部１４は、水平部１７ａから起立された縦支持板１８の上部に、左右向きのリール保持軸２０が設けられ、溶接ワイヤｗの巻かれたリール１９を着脱可能に支持する。
【００１９】
図２は溶接ワイヤ送給装置２の前半部を左側から見た側面図である。送給力付与部１５は、サーボモータなどの駆動装置２１が固定されたドラム形フレーム２２と、ドラム形フレーム２２の左端面部材２２ａから張り出され駆動装置２１で回転駆動される水平な左右向きの回転軸２３と、この回転軸２３の先端部に固定されたローラ２４（フィードローラ）と、ドラム形フレーム２２の上部に固定された左右向き支軸２５回りの揺動可能に支持された揺動支持体２６と、この揺動支持体２６の下部に左右向き軸２７を介して回転自在に装着されたローラ２８（遊動ローラ）と、揺動支持体２６を図２中の実線で表示した位置に保持するための保持ハンドル２９とを備えている。ドラム形フレーム２２は脚部２２ｂを装置フレーム１３の水平部１７ａにボルト３０を介して固定されており、回転軸２３は駆動装置２１の出力軸の回転を直接に或いは必要に応じ減速機構を介して伝達する。ローラ２４は回転軸２３の先部に螺着されたナット３１で締結状に固定された構造となっている。ローラ２４は、ローラ周に溶接ワイヤ接触しながら案内する環状溝２４ａ（図４）が刻まれている。ローラ２４は、使用する溶接ワイヤ径の変更により交換したり、環状溝が詰まったり、磨耗したりする保守部品である。従って、このような交換、点検、整備のために取り外し容易なように、回転軸２３の先部にナット３１により螺着されているのである。
【００２０】
このような既存の溶接機に対して、本実施例の取付構造により、積算計数を行う機能を付与する。図３は本実施例の取付構造を示す斜視図である。
【００２１】
積算計数装置４０は、直方体状の箱体４２の内側に６個の桁円板４３ａ〜４３ｆを列設されると共に各桁円板４３ａ〜４３ｆの外周面には０〜９の数字が周方向の一列状に表示されている。またこれら桁円板４３ａ〜４３ｆを左右向き中心線回りへ回転動作させる左右向き入力軸４４が設けられている。この入力軸４４が１回転するごとに、桁円板４３ａ〜４３ｆにより表示される６桁の数値が１だけ加算される。また桁円板４３ａ〜４３ｆで表示される数値をゼロに復帰させるための摘み４６が装着されており、この摘み４６が回転操作されることで各桁円板４３ａ〜４３ｆが連係作動されて全ての桁円板４３ａ〜４３ｆの数字がゼロになる。袋ネジ４５は、止めネジ４８により、入力軸４４に固定されている。ここにおいて、入力軸４４は、積算計数装置４０の重心位置を貫いておらず、積算計数装置４０の表示窓４２ａ側に偏心した位置を貫いている。
【００２２】
図４は、既存の溶接機のナット３１に代えて袋ネジ４５を回転軸２３の雄ネジ２３ａに螺着した状態を示す一部断面図である。図４Ａに示すように、回転軸２３のネジに対して、袋ネジ４５を螺着する。この際、袋ネジ４５の螺子山は回転軸２３の回転により、締め付けられる方向となっているため、手作業にて螺着を行うことができる。このため、ローラ２４の交換は極めて容易である。
【００２３】
ローラ２４は、中心孔２４ｂに回転軸２３に外嵌され、回転軸２３のショルダー面２３ｂと袋ネジ４５の間に締結状に固定保持される（図４Ｂ参照）。この状態では、積算計数装置４０は、溶接機の装置フレーム１３に対して固定されておらず、回転軸２３に対してぶら下がり状態である。入力軸４４が積算計数装置４０の重心Ｇに対して偏心しているため、積算計数装置４０は、回転軸２３（或いは入力軸４４）を中心として溶接機の装置フレーム１３に対して自由回転状態であり、重心Ｇを入力軸４４の下側に位置させ、表示窓４２ａを上向けている。
【００２４】
ローラ２４の外周面には、環状溝２４ａが形成されており、ローラ２８で溶接ワイヤｗを挟んで送給する。ローラ２４が回転すると、これに固定された入力軸４４も回転する。積算計数装置４０に対して入力軸４４は滑らかに回転するようになっているため、この回転力では、下側に位置する重心Ｇを引き上げて積算計数装置４０本体を回転させるだけの力にはならない。従って、回転軸２３の回転数が桁円板４３ａ〜４３ｆに積算されて行く。
【００２５】
図５は、既存の溶接機に積算計数装置４０を取り付けた状態を示している。積算計数装置４０は、回転軸２３に袋ネジ４５が螺着しているのみであり、溶接機からは浮いている状態である。しかしながら、回転軸２３が積算計数装置４０の重心Ｇから偏在した位置にあるため、積算計数装置４０は表示窓を上にした状態にある。
【００２６】
次にこのようにして計数装置が取り付けられた溶接機の使用例及び作用について説明する。
【００２７】
溶接を行うと溶接ワイヤｗがローラ２４の送り力を付与されてリール１９から溶接トーチ３の先端側へ連続的に供給され、溶接が停止されるとローラ２４の回転が停止し溶接ワイヤｗの供給は停止される。
【００２８】
溶接中のローラ２４の回転は袋ネジ４５を同体状に回転させる。積算計数装置４０は溶接中のローラ２４の回転数を計数し、桁円板４３ａ〜４３ｆに記載された数字で積算値を表示する。
【００２９】
いま、ローラ２４が溶接ワイヤｗに対して滑りの生じない状態で回転したとすると、溶接中にローラ２４で送給された溶接ワイヤｗの長さは積算計数装置４０で計数されたローラ２４の回転数にローラ２４の周長さを乗じることにより算出される。そして、溶接中にローラ２４で送給された溶接ワイヤｗの重量は溶接中にローラ２４で送給された溶接ワイヤｗの長さに溶接ワイヤｗの単位長さの重量を乗じることにより算出される。
【００３０】
積算計数装置４０で計数された数値情報により、溶接中の溶接ワイヤｗの使用量を認識できるようになり、この数値情報のみに基づいて溶接における溶接ワイヤｗの供給量が適当であるか否か或いは作業効率が高く維持されているか否かの指標となる。
【００３１】
本実施例によれば、袋ネジ４５を回転軸２３に接続するだけで、溶接中の溶接ワイヤｗの供給量が積算計数装置４０で積算され、その窓部４２ａ内から見える桁円板４３ａ〜４３ｆの数字により数値情報として表示される。本実施例によれば既存の溶接機のローラ２４におけるナット交換を行うことにより、簡易に計数装置付きに改造にすることができる。また、積算計数装置４０を装置フレーム１３に対して固定する冶具が必須でなく、取り付けが簡単である。
【００３２】
尚、上記実施例においては、既存の溶接機に対する計数装置の取付構造を示したが、製品としての溶接機に対しても利用しても良い。この場合において、計数装置の取付に対する溶接機本体自体の設計変更が不要となるため、製造に関する準備期間を短縮できるという効果がある。
【００３３】
また、上記実施例においては、積算計数装置４０を回転軸２３に対して自由回転状態としたが、装置フレーム１３に対して接続することを妨げない。この場合、積算計数装置４０はその重心Ｇが回転駆動軸２に対して偏在しているため、固定はもっぱら積算計数装置４０の紛失防止のために、簡易な素材（例えば、紐、針金、バネ材、テープ等）を利用できる。尚、前述したように、ローラ２４は頻繁に交換されるものであるため、積算計数装置４０の装置フレーム１３への接続は交換を妨げないものであることが望ましい。袋ネジ４５の外周を円周状としたが、６角形のナット状としても良いし、円周外周に指の滑り止め模様を彫り込んでも良い。
【００３４】
さらに、上記実施例においては、入力軸４４が積算計数装置４０自体の重心から偏在しているものとしたが、積算計数装置４０に対して重りを付けて積算計数装置４０の重心の位置を変更させても良い。この場合、請求項における積算計数装置の解釈は、重りを含めた全体を積算計数装置と解釈するものとする。
【符号の説明】
【００３５】
３  溶接トーチ
１４  ワイヤ蓄積部
１７  管部材（固定部）
２３  回転駆動軸
２４、２８  ローラ
３１  ナット
４０  積算計数装置
４４  入力軸
４５  袋ネジ
ｗ  溶接ワイヤ
【図１】
0003155392.tif 000003
【図２】
0003155392.tif 000004
【図３】
0003155392.tif 000005
【図４】
0003155392.tif 000006
【図５】
0003155392.tif 000007